(57)【要約】【課題】停電時用機器を収納するのに適した、視認しやすく使いやすい、停電時用機器収納箱を提供する。【解決手段】停電時用機器収納箱１０は、収納スペース１１を有する箱本体１２と、該箱本体１２に取り付けられて前記収納スペース１１を開閉自在な開閉部材１３と、前記収納スペース１１内で停電時用機器Ｍを支持する支持部材１４と、前記箱本体１２の大きさ及び形状に応じた人目に付きやすい部位に設けられる表示部１５と、を備える。【選択図】    図２
0003222540.tif 000002
【実用新案登録請求の範囲】
【請求項１】
収納スペースを有する箱本体と、該箱本体に取り付けられて前記収納スペースを開閉自在な開閉部材と、前記収納スペース内で停電時用機器を支持する支持部材と、前記箱本体の大きさ及び形状に応じた人目に付きやすい部位に設けられる表示部と、を備える停電時用機器収納箱。
【請求項２】
前記箱本体が縦長であり、該箱本体の底部より面積が広いベース板が前記箱本体の前記底部に固定される、請求項１に記載の停電時用機器収納箱。
【請求項３】
前記開閉部材の、人の目に触れやすい位置に、前記収納スペース内を外部から目視できる透明部が設けられる、請求項１又は２に記載の停電時用機器収納箱。
【請求項４】
前記開閉部材が開いたことを検知してアラーム音を発する警報音発生機構を備え、前記開閉部材を開くとアラーム音が鳴ることが表示されている、請求項１，２又は３に記載の停電時用機器収納箱。
【請求項５】
前記箱本体の高さ及び強度が該箱本体を荷台や椅子として利用可能な高さ及び強度とされている、請求項１に記載の停電時用機器収納箱。
【請求項６】
前記箱本体の天板が前記支持部材であり、前記開閉部材が前記天板上に着脱可能に配設される覆いであり、該覆いと前記天板とで前記収納スペースが画成される、請求項１に記載の停電時用機器収納箱。
【請求項７】
前記覆いの少なくとも人の目に触れやすい面が透明である、請求項６に記載の停電時用機器収納箱。
【考案の詳細な説明】
【技術分野】
【０００１】
本考案は、停電時、特に長時間又は長期間の停電時に有用な機器を収納する停電時用機器収納箱に関するものである。
【背景技術】
【０００２】
地震大国である日本では、いつどこで大地震が起きても不思議ではない。例えば内閣府の南海トラフ巨大地震シミュレーションでは、次のような予測がなされている。
【０００３】
１  今後３０年で７０％〜８０％の発生率を予想
２  最大３２万３０００人が死亡
３  最大津波３０メートル以上（静岡では最短２分で３３メートルの津波予想）
４  ライフラインは途絶し、交通機関は通行不能
５  消防や自衛隊などの救援には限界がある
６  水や食料は３日間ではなく７日間以上の備蓄を推奨
７  電気、ガスなどの公共インフラも回復が遅れる可能性がある
【０００４】
災害時には大規模停電が起こりやすい。現代の文明は電力に依存して構築されているので、停電が起こると身の回りの一切の機器が使用不能になると言っても過言ではない。特に、病院などの医療機関や、ホテル、学校、公共施設、大規模企業施設など、多くの人を収容する施設で停電が起こると、多くの人に多大な不便と大きな不安感を与えることになる。
【０００５】
そこで、医療機関や公共施設やマンションやビル等の、多くの人々が集まる施設では、停電時に備えて、蓄電池をはじめとする停電時用の機器を常備しておくことが必要である。これらの機器は、視認しやすく使いやすい収納箱に入れて、廊下等の、人目につきやすく且つ邪魔にならない箇所に設置するのが好ましい。
【先行技術文献】
【特許文献】
【０００６】
【特許文献１】特開２００９−１０６８１７号公報
【考案の概要】
【考案が解決しようとする課題】
【０００７】
しかしながら、停電時用の機器を収納するのに適した、視認しやすく使いやすい収納箱は提供されていなかった。
【０００８】
本考案は前記のような事情に鑑みてなされたもので、停電時用機器を収納するのに適した、視認しやすく使いやすい、停電時用機器収納箱を提供しようとするものである。
【課題を解決するための手段】
【０００９】
前記課題を解決するため、請求項１の本考案に係る停電時用機器収納箱は、収納スペースを有する箱本体と、該箱本体に取り付けられて前記収納スペースを開閉自在な開閉部材と、前記収納スペース内で停電時用機器を支持する支持部材と、前記箱本体の大きさ及び形状に応じた人目に付きやすい部位に設けられる表示部と、を備えることを特徴とする。前記開閉部材は、扉（ドア）式のものであってもよいし、覆い（カバー）式のものであってもよい。
【００１０】
請求項２の本考案に係る停電時用機器収納箱は、請求項１のものにおいて、前記箱本体が縦長であり、該箱本体の底部より面積が広いベース板が前記箱本体の前記底部に固定されることを特徴とする。
【００１１】
請求項３の本考案に係る停電時用機器収納箱は、請求項１又は２のものにおいて、前記開閉部材の、人の目に触れやすい位置に、前記収納スペース内を外部から目視できる透明部が設けられることを特徴とする。
【００１２】
請求項４の本考案に係る停電時用機器収納箱は、請求項１，２又は３のものにおいて、前記開閉部材が開いたことを検知してアラーム音を発する警報音発生機構を備え、前記開閉部材を開くとアラーム音が鳴ることが表示されていることを特徴とする。
【００１３】
請求項５の本考案に係る停電時用機器収納箱は、請求項１のものにおいて、前記箱本体の高さ及び強度が該箱本体を荷台や椅子として利用可能な高さ及び強度とされていることを特徴とする。
【００１４】
請求項６の本考案に係る停電時用機器収納箱は、請求項１のものにおいて、前記箱本体の天板が前記支持部材であり、前記開閉部材が前記天板上に着脱可能に配設される覆いであり、該覆いと前記天板とで前記収納スペースが画成されることを特徴とする。
【００１５】
請求項７の本考案に係る停電時用機器収納箱は、請求項６のものにおいて、前記覆いの少なくとも人の目に触れやすい面が透明であることを特徴とする。
【考案の効果】
【００１６】
請求項１の本考案に係る停電時用機器収納箱は、医療機関や公共施設やマンションやビル等の、多くの人々が集まる施設や建物の廊下やエントランスホール等に設置しておく。箱本体の収納スペース内に支持部材を利用して停電時用機器を収納し、平時には開閉部材を閉じておく。不測の停電時には、開閉部材を開け、収納箱内の停電時用機器を取り出して使用することができる。箱本体の大きさ及び形状に応じた人目に付きやすい部位に表示部が設けられるので、この表示部に必要な表示を施しておくことで、利用者の便を図ることができる。
【００１７】
請求項２の本考案によれば、箱本体が縦長であるので、建物内の廊下やエントランスホール等に停電時用機器収納箱を設置しても邪魔になりにくい。一方、箱本体が縦長であると地震の際に倒れやすいという問題がある。しかし、請求項２の本考案では、箱本体の底部よりも面積が広いベース板が箱本体の底部に固定されるので、地震の際にも箱本体が転倒しにくい。
【００１８】
請求項３の本考案によれば、透明部によって収納スペース内の停電時用機器を目視することができるので、開閉部材を開けなくても内容物を確認できて好適である。
【００１９】
請求項４の本考案によれば、非常時以外に悪戯で開閉部材が開けられることを防止できて好適である。
【００２０】
請求項５の本考案によれば、箱本体の高さ及び強度が箱本体を荷台や椅子として利用可能な高さ及び強度とされているので、平時には停電時用機器収納箱を荷台や椅子として利用できて好適である。
【００２１】
請求項６の本考案によれば、停電時用機器は、覆いと天板とで画成される収納スペース内に収納される。非常時には、箱本体の天板上の覆いを開くことで収納スペースが開放されるので、天板で支持される停電時用機器を取り出して使用することができる。
【００２２】
請求項７の本考案によれば、収納スペース内の停電時用機器を覆いの外から目視することができるので、覆いを開くことなく内容物を確認できて好適である。
【図面の簡単な説明】
【００２３】
【図１】本考案の実施の一形態に係る停電時用機器収納箱（防災タワー）の斜視図である。
【図２】図１の停電時用機器収納箱（防災タワー）の開扉状態の斜視図である。
【図３】停電時用機器の様々な具体例を示す斜視図であり、（ａ）は蓄電池、（ｂ）は太陽光パネル、（ｃ）は電球、（ｄ）は電球を取り付けるための延長コード付きソケット、（ｅ）は携帯用のＬＥＤライト、（ｆ）は定置式の照明器具である。
【図４】本考案の他の実施の形態に係る停電時用機器収納箱（防災ボックス）の開扉状態の斜視図である。
【図５】本考案のさらに他の実施の形態に係る停電時用機器収納箱（防災ミニタワー）の斜視図である。
【考案を実施するための形態】
【００２４】
以下、添付図面を参照して、本考案の実施の形態について説明する。
【００２５】
図１及び図２に示すように、本考案の実施の一形態に係る停電時用機器収納箱１０は、収納スペース１１を有する箱本体１２と、この箱本体１２に取り付けられて収納スペース１１を開閉自在な開閉部材１３と、収納スペース１１内で停電時用機器Ｍを支持する支持部材１４と、箱本体１２の大きさ及び形状に応じた人目に付きやすい部位に設けられる表示部１５と、を備える。
【００２６】
図１及び図２の停電時用機器収納箱１０は縦長であり、全高が例えば１４０ｃｍ程度の高さとされる。以下、図１及び図２の停電時用機器収納箱１０を防災タワーと称する。図１及び図２の防災タワー１０は縦長であるので、建物内の廊下やエントランスホール等に設置しても邪魔になりにくい。一方、箱本体１２が縦長であると地震の際に倒れやすいという問題がある。そこで、この問題を解決するため、箱本体１２の底部よりも面積が広いベース板１６が箱本体１２の底部に固定されている。このベース板１６により、防災タワー１０が床面上で安定的に起立状態を維持できる。
【００２７】
本実施の形態では、収納スぺース１１として、図２に示すように、箱本体１２が上中下三段の収納スペース１１ａ，１１ｂ，１１ｃを備える。上段収納スペース１１ａの開口部は、開閉部材１３としての取っ手付きの上扉１３ａで開閉自在とされる。また、中段収納スペース１１ｂの開口部と下段収納スペース１１ｃの開口部は、開閉部材１３としての取っ手付きの下扉１３ｂで同時に開閉自在とされる。上扉１３ａと下扉１３ｂは、それぞれの縦端面部が蝶番（図示せず）で箱本体１２に取り付けられている。
【００２８】
限定はされないが、本実施の形態では、上扉１３ａの人の目に触れやすい位置に、上段収納スペース１１ａ内を外部から目視できる透明部１７が設けられる。具体的には、人の歩行時に目の高さとなる上扉に、透明な窓パネル（透明部）１７が嵌め込まれており、上段収納スペース１１ａ内が外部から目視できるようになっている。これにより、上扉１３ａを開けなくても上段収納スペース１１ａ内の内容物を確認できる。上扉１３ａだけでなく、下扉１３ｂにも透明な窓パネル（透明部）を設けてもよい。
【００２９】
限定はされないが、上扉１３ａや下扉１３ｂが開いたことを検知してアラーム音を発する警報音発生機構（図示せず）を設け、扉１３ａ，１３ｂを開けるとアラーム音が鳴ることを表示しておくと、非常時以外に悪戯で扉１３ａ，１３ｂが開けられることを防止できて好適である。
【００３０】
限定はされないが、本実施の形態では、図２に示すように、各収納スペース１１ａ，１１ｂ，１１ｃがほぼ同一の大きさとされている。三つの収納スペース１１ａ，１１ｂ，１１ｃには、適宜の停電時用機器Ｍが収納される。各収納スペース１１ａ，１１ｂ，１１ｃ内には支持部材１４が配設され、各支持部材１４によって各収納スペース１１ａ，１１ｂ，１１ｃ内で停電時用機器Ｍが支持される。
【００３１】
図２の例では、上段収納スペース１１ａ内と中段収納スペース１１ｂ内でそれぞれ停電時用機器Ｍを支持する支持部材１４が棚板１４ａ，１４ｂであり、下段収納スペース１１ｃ内で停電時用機器Ｍを支持する支持部材１４がベース板１６である。棚板１４ａ，１４ｂとベース板１６は網目状又は格子状等の板材であってもよい。また、他の態様の支持部材１４として、収納スペース１１内で停電時用機器Ｍを吊り下げ支持するフックや竿材（図示せず）を用いることもできる。フックや竿材は、箱本体１２の内面に固定する。なお、中段収納スペース１１ｂと下段収納スペース１１ｃとを仕切る棚板１４ｂを箱本体１２に対して上下位置変更可能とすることにより、中段収納スペース１１ｂと下段収納スペース１１ｃの広さを調節可能にすることもできる。
【００３２】
限定はされないが、防災タワー１０に収納される停電時用機器Ｍとしては、図３に示すように、蓄電池Ｍａや、太陽光パネルＭｂや、電球Ｍｃや、この電球Ｍｃを取り付けるための延長コード付きソケットＭｄや、携帯式のＬＥＤライトＭｅや、定置式の照明器具Ｍｆ等が挙げられる。
【００３３】
蓄電池Ｍａとしては、例えば、太陽光パネルＭｂで充電可能なリチウムイオン蓄電池を用いることができる。例えば、太陽光パネルＭｂを用いて６時間でフル充電可能な蓄電池Ｍａにより、一度に６０台のスマートフォンを一気に充電することができる。電球Ｍｃとしては、例えば、５５時間連続点灯可能なＬＥＤ電球を用いることができる。携帯式のＬＥＤライトＭｅとしては、例えば、懐中電灯や警告灯や虫よけ灯等として使用可能な、モバイルバッテリー搭載式の筒状ＬＥＤライトを用いることができる。定置式の照明器具Ｍｆとしては、例えば、水銀灯１００Ｗ以上の明るさを有し、フル充電時で約１１時間の長時間点灯が可能な、リチウムイオンバッテリー搭載式のＬＥＤ照明器具を用いることができる。
【００３４】
図２の例では、人目に付きやすいように目立つ色彩（例えば赤色）の外観とされた蓄電池Ｍａを透明な窓パネル１７を有する上扉１３ａ内の上段収納スペース１１ａに収納し、外部から内容物を視認しやすいようにしてある。図３の蓄電池Ｍａ以外の停電時用機器Ｍは、図２の中段収納スペース１１ｂ及び下段収納スペース１１ｃに適宜に収納することができる。
【００３５】
防災タワー１０には、箱本体１２の大きさ及び形状に応じた人目に付きやすい部位に表示部１５が設けられる。図１及び図２の例では、箱本体１２が１４０ｃｍ程度の縦長とされることから、人の目に触れやすい箇所として、箱本体１２の前面最上部の横長の空き領域を表示部１５としてある。この表示部１５には、停電時用又は非常時用であることを示す文字や絵文字等を目立つ大きさや色彩で表示しておく。一例として、図１及び図２の例では、非常時用の電源箱であることを示すべく、「Ｅｍｅｒｇｅｎｃｙ  Ｐｏｗｅｒ  ＢＯＸ（ＥＰＢ）」と大きく赤字等で表示してある。
【００３６】
また、図１の例では、上扉１３ａの透明な窓パネル１７の上部も表示部１５とされ、この表示部１５には、例えば、上扉１３ａを開けるとアラーム音が鳴ることが表示される。
【００３７】
さらに、図１の例では、下扉１３ｂの外面も表示部１５とされ、この表示部１５には、例えば、緊急時以外の使用を禁ずる旨が複数の言語で表示される。
【００３８】
図１及び図２の防災タワー１０は、医療機関や公共施設やマンションやビル等の、多くの人々が集まる施設や建物の廊下やエントランスホール等に設置しておく。これにより、不測の停電時、特に大規模災害等により長時間又は長期間に及ぶ停電時に、防災タワー１０内に収納されている停電時用機器Ｍを取り出して使用することができる。蓄電池Ｍａは、予めフル充填したものを防災タワー１０内に収納しておけば、非常時にすぐに電源として使用できる。また、蓄電池Ｍａの電力が尽きたら、太陽光パネルＭｂを用いて屋外で蓄電池Ｍａの充電を行うことで、蓄電池Ｍａを長期間に亘って使用することができる。
【００３９】
なお、防災タワー１０は、それ自体周知であるＡＥＤ（自動体外式除細動器）の収納箱と並べて設置しておくと好適である。
【００４０】
次に、図４を参照して、本考案の他の実施の形態に係る停電時用機器収納箱２０を説明する。
【００４１】
図４の停電時用機器収納箱２０も、図１及び図２のものと同様に、収納スペース２１を有する箱本体２２と、この箱本体２２に取り付けられて収納スペース２１を開閉自在な開閉部材２３と、収納スペース２１内で停電時用機器Ｍを支持する支持部材２４と、箱本体２２の大きさ及び形状に応じた人目に付きやすい部位に設けられる表示部２５と、を備える。図４の停電時用機器収納箱２０にも、図３に示した各種の停電時用機器Ｍ（Ｍａ〜Ｍｆ）を収納することができる。
【００４２】
図４の停電時用機器収納箱２０の箱本体２２は横長であり、箱本体２２の高さが箱本体２２を荷台や椅子として利用可能な高さとされ、荷台や椅子として必要な強度を有する。このため、平時には、停電時用機器収納箱２０を荷台や椅子として利用できる。図４の停電時用機器収納箱２０は箱本体２２が横長であるので、地震の際にも倒れにくい。図４の停電時用機器収納箱２０は、荷台や椅子として利用可能なタイプであることから、以下、防災ボックスと称する。
【００４３】
図４の防災ボックス２０は、箱本体２２の内部が縦仕切板２８で左右の収納スペース２１Ｌ，２１Ｒに区画され、左側収納スペース２１Ｌが上下二枚の棚板２４ａ，２４ｂで上中下三段の収納スペース２１Ｌａ，２１Ｌｂ，２１Ｌｃに区画されている。これらの収納スペース２１には、前述した通りの適宜の停電時用機器Ｍが収納される。各収納スペース２１内には支持部材２４が配設され、各支持部材２４によって各収納スペース２１内で停電時用機器Ｍが支持される。収納スペース２１の開口部は、開閉部材としての取っ手付きの単一の扉２３で開閉自在とされる。扉２３は、縦端面部が蝶番（図示せず）で箱本体２２に取り付けられている。
【００４４】
図４の防災ボックス２０では、右側収納スペース２１Ｒ内で停電時用機器Ｍを支持する支持部材が箱本体２２の底板２２ａであり、左側の上段収納スペース２１Ｌａ内で停電時用機器Ｍを支持する支持部材が上棚板２４ａであり、左側の中段収納スペース２１Ｌｂ内で停電時用機器Ｍを支持する支持部材が下棚板２４ｂであり、左側の下段収納スペース２１Ｌｃ内で停電時用機器Ｍを支持する支持部材が箱本体１２の底板２２ａである。棚板２４ａ，２４ｂと縦仕切板２８は網目状又は格子状等の板材であってもよい。
【００４５】
図４の防災ボックス２０にも、箱本体２２の大きさ及び形状に応じた人目に付きやすい部位に表示部２５が設けられる。図４の例では、人の目に触れやすい箇所として、箱本体２２の上面や側面を表示部２５とするとよい。
【００４６】
次に、図５を参照して、本考案のさらに他の実施の形態に係る停電時用機器収納箱３０を説明する。
【００４７】
図５の停電時用機器収納箱３０も、図１〜図２及び図４のものと同様に、収納スペース３１（３１ａ，３１ｂ）を有する箱本体３２と、この箱本体３２に取り付けられて収納スペース３１を開閉自在な開閉部材３３と、収納スペース３１内で停電時用機器Ｍを支持する支持部材３４と、箱本体３２の大きさ及び形状に応じた人目に付きやすい部位に設けられる表示部３５と、を備える。図５の停電時用機器収納箱３０にも、図３に示した各種の停電時用機器Ｍ（Ｍａ〜Ｍｆ）を収納することができる。
【００４８】
図５の停電時用機器収納箱３０は縦長である点で図１及び図２のものと同じであるが、図１及び図２のものより全高が低く形成され、全高が、例えば平均的な身長の人の胸くらいの高さとされる。このため、図５の停電時用機器収納箱３０を、以下、防災ミニタワーと称する。
【００４９】
図５の防災ミニタワー３０は、停電時用機器Ｍを支持する支持部材３４が箱本体３２の天板３２ａであり、開閉部材３３が天板３４上に着脱可能に配設される覆い３３ａであり、この覆い３３ａと天板３２ａとで上部収納スペース３１ａが画成される。
【００５０】
図５の防災ミニタワー３０においては、停電時用機器Ｍは、覆い３３ａと天板３２ａとで画成される上部収納スペース３１ａ内に収納される。非常時には、箱本体３２の天板３２ａ上の覆い３３ａを開くことで上部収納スペース３１ａが開放されるので、天板３２ａで支持される停電時用機器Ｍを取り出して使用することができる。覆い３３ａを開くと起立状態の利用者の腹部辺りの高さに停電時用機器Ｍが現れる。よって、停電時用機器Ｍを取り出しやすい。
【００５１】
覆い３３ａの少なくとも人の目に触れやすい面は透明とするのが好ましい。このようにすれば、上部収納スペース３１ａ内の停電時用機器Ｍを覆い３３ａの外から目視することができるので、覆い３３ａを開くことなく内容物を確認できて便利である。図５の例では、下向き開口の直方体又は立方体の箱体で覆い３３ａが形成され、覆い３３ａの全体が透明なプラスチックで成形される。
【００５２】
図示例では、人目に付きやすいように目立つ色彩の外観とされた蓄電池Ｍａを上部収納スペース３１ａに収納し、外部から視認しやすいようにしてある。
【００５３】
図示は省略しているが、図５の防災ミニタワーにおいても、停電時用機器Ｍを収納するための下部収納スペース３１ｂが、箱本体３２の内部に配設される。すなわち、箱本体３２の内部には、下部収納スペース３１ｂ内に支持部材３４としての棚板によって上段収納スペースと下段収納スペースとが区画形成され、これらの収納スペースの開口部が開閉部材３３としての取っ手付きの単一の扉３３ｂで同時に開閉自在とされる。
【００５４】
図５の防災ミニタワー３０は縦長であるので、建物内の廊下やエントランスホール等に設置しても邪魔になりにくい。また、図５の防災ミニタワー３０は、図１及び図２の防災タワー１０と同様に、箱本体３２の底部よりも面積が広いベース板３６が箱本体３２の底部に固定されている。このベース板３６により、箱本体３２が床面上で安定的に支持される。よって、地震の際にも転倒しにくい。
【００５５】
図５の防災ボックスにも、箱本体３２の大きさ及び形状に応じた人目に付きやすい部位に表示部３５が設けられる。図５の例では、人の目に触れやすい箇所として、箱本体３２の前面を構成する扉３３ｂの外面を表示部３５とするとよい。
【００５６】
以上、本考案の実施の形態を詳述してきたが、具体的な構成はこれらの実施の形態に限られるものではなく、本考案の要旨を逸脱しない範囲の設計の変更等があっても本考案に含まれる。また、上述の実施の形態は、その目的及び構成等に特に矛盾や問題がない限り、互いの技術を流用して組み合わせることが可能である。
【符号の説明】
【００５７】
１０  停電時用機器収納箱（防災タワー）
１１（１１ａ，１１ｂ，１１ｃ）  収納スペース
１２  箱本体
１３  開閉部材
１３ａ  上扉（開閉部材）
１３ｂ  下扉（開閉部材）
１４  支持部材
１５  表示部
１７  透明部（窓パネル）
２０  停電時用機器収納箱（防災ボックス）
２１  収納スペース
２２  箱本体
２３  開閉部材
２４  支持部材
２５  表示部
３０  停電時用機器収納箱（防災ミニタワー）
３１  収納スペース
３２  箱本体
３３  開閉部材
３３ａ  覆い（開閉部材）
３３ｂ  扉（開閉部材）
３４  支持部材
３４ａ  箱本体の天板（支持部材）
３５  表示部
Ｍ    停電時用機器
【図１】
0003222540.tif 000003
【図２】
0003222540.tif 000004
【図３】
0003222540.tif 000005
【図４】
0003222540.tif 000006
【図５】
0003222540.tif 000007